(57)【要約】【目的】誤って急速静注不可の薬液が三方活栓やその他の側注ポート等の混注ポートから急速静注されることを防止するプレフィルドシリンジ及びプレフィルドシリンジとアダプタとの組合せを提供する。【構成】プレフィルドシリンジ１０の筒状突出壁部１２の外周に雄ネジ部１３を備え、筒状突出壁部１２の基部に段部１７を備える。このプレフィルドシリンジ１０に取り付けられるアダプタ２０は、雄ネジ部１３に螺合する雌ネジ部２３を有する外筒体２１と、外筒体２１の内方側に筒状突出壁部１２の内壁と接触可能な内筒体２２を備える。アダプタ２０は、内筒体２２の第１薬液通路に連通され、一端部が閉塞された第２薬液通路２６を有する中空胴体部２５と、中空胴体部２５に一体に形成され、外周に軸方向に沿った長溝部２８が形成され、長溝部２８と中空胴体部２５の第２薬液通路２６とを連通する開口通路２９が形成された先細形状の針状軸体２７とを備える。【選択図】図６
2007167576.tif 000002
【特許請求の範囲】
【請求項１】
薬液を予め充填した薬液収納部と、
該薬液収納部に充填された薬液を吐出するための開口部を形成する筒状突出壁部及びその筒状突出壁部外周に形成された雄ネジ部を有するノズル部と、
該薬液収納部内の薬液を吐出させる薬液吐出機構とを有するプレフィルドシリンジであって、該筒状突出壁部の外径が４．３ｍｍ〜５．４ｍｍであることを特徴とする。
【請求項２】
薬液を予め充填した薬液収納部と、
該薬液収納部に充填された薬液を吐出するための開口部を形成する筒状突出壁部及びその筒状突出壁部外周に形成された雄ネジ部を有するノズル部と、
該薬液収納部内の薬液を吐出させる薬液吐出機構とを有するプレフィルドシリンジであって、
該ノズル部の基部に、上記雄ネジ部を有する筒状突出壁部の外径よりも大きい外径を有する段部を備えていることを特徴とする。
【請求項３】
請求項１又は２記載のプレフィルドシリンジにおいて、筒状突出壁部の内周側に、筒状突出壁部の内径より小さい開口径を有する絞り部が設けられていることを特徴とする。
【請求項４】
請求項２記載のプレフィルドシリンジにおいて、該段部と該筒状突出壁部との接続部に、該筒状突出壁部の内径より小さい開口径を有する絞り部が設けられていることを特徴とする。
【請求項５】
請求項３又は４記載のプレフィルドシリンジにおいて、該筒状突出壁部の内径は、その先端から該絞り部方向に向かって徐々に細くなるテーパー形状に形成されていることを特徴とする。
【請求項６】
請求項１ないし５のいずれか１つに記載のプレフィルドシリンジに接続可能なアダプタを有し、
該アダプタは、上記ノズル部の雄ネジ部に螺合する雌ネジ部を内周に有する外筒体と、
該外筒体の内方側に上記筒状突出壁部の内壁と接触可能で内部に第１薬液通路が形成された内筒体と、
該内筒体の第１薬液通路に連通され、一端部が閉塞している第２薬液通路を有する中空胴体部と、
該中空胴体部の第２薬液通路を外周に開口する開口通路が形成された先細形状の針状軸体とを備え、該外筒体、該内筒体及び中空胴体部とが一体に形成されていることを特徴とする。
【請求項７】
請求項６記載のプレフィルドシリンジとアダプタとの組合せであって、該針状軸体の先端から該開口通路までの距離は１５〜３０ｍｍの範囲にあることを特徴とする。
【請求項８】
請求項６又は７記載のプレフィルドシリンジとアダプタとの組合せであって、該内筒体の端部は、該外筒体の端部よりも内側に引っ込んで形成されていることを特徴とする。
【請求項９】
請求項４ないし８のいずれか１つに記載のプレフィルドシリンジにおいて、該プレフィルドシリンジの該ノズル部を密閉するキャップを備え、
該キャップは、該段部の外周に接触してシールする接触部を内面に有するキャップ本体と、該プレフィルドシリンジの該筒状突出壁部の内周面に接触してシールする第１シール面及び絞り部の開口部に接触してシールする第２シール面を有する突出部とを備えることを特徴とする。
【発明の詳細な説明】
【技術分野】
【０００１】
本発明は、薬液が予め充填された医療用のプレフィルドシリンジに関し、特にプレフィルドシリンジの誤接続、誤注入を防止するようにする技術に関する。
【背景技術】
【０００２】
従来から、各種の薬液を薬液バックからチューブを通じて生体内に注入する、或いはチューブの途中に設けた混注ポートから生体内に注入することが行われている。その時、生食液等で希釈せずに生体内に静注してはいけない薬液があり、このような薬液は、一旦薬液バッグやボトル等に混注して希釈した後、生体内に注入するように指示されている。
【０００３】
しかし、作業者のミスによって、希釈使用薬液の充填されたプレフィルドシリンジを輸液セットや輸血セット等に設けられた混注ポート等に誤接続し、希釈使用薬液をそのまま、（希釈せずに）人体に静注する危険性が指摘されている。
【０００４】
このような背景の中、希釈使用薬液の充填されたプレフィルドシリンジを混注ポートに誤接続することを防止する機構を有するシリンジ構造が強く求められている。
【０００５】
発明者が、現在使用されている通常のプリフィルドシリンジ（例えば、特許文献１）や混注ポート等の大きさを各種計測してみたところ、希釈使用薬液を充填したプレフィルドシリンジの接続部と、通常のプレフィルドシリンジの接続部とは大きさや形状に差異が無く、希釈使用薬液を充填したプレフィルドシリンジを混注ポートに誤接続する危険性が有った。発明者は、人為的な誤接続を防止するために、シリンジ及び各種混注ポート等の形状や大きさを工夫することによって、物理的に誤接続できない構造とすることができないかという観点で種々検討した。
【０００６】
その結果、シリンジの先端部のノズル外径を大きくすれば、従来の混注ポート等のポートの大きさや形状を変更しなくても、本来直接投与してはいけない薬液を充填したプレフィルドシリンジを、従来の混注ポート等に接続できなくなることを見出した。
【０００７】
従来、このようなシリンジ構造として、シリンジ先端のノズル部の外径及び内径を大きくして、通常の混注ポートには接続できない構造とし、ノズル部の外周に雄ネジ部を設け、混注ポートには針状形状のアダプタを介在させて接続するようにしたものが知られていた（特許文献２、３）。
【特許文献１】特開２００４−３４４４２３号公報
【特許文献２】特開２００２−１５９５７６号公報
【特許文献３】特開２００３−０４７６５８号公報
【発明の開示】
【発明が解決しようとする課題】
【０００８】
しかし、上記特許文献２や３に示されるものでは、ノズル部は太いため、ノズル部自体を混注ポートに挿入したり、保持したりすることはできない。ただ、ノズル部に装着された針部先端は、混注ポート内腔に挿入できるので、そのような状態でシリンジのピストンが押されてしまうと、希釈して使用すべき薬液が高濃度のまま、体内に注入される危険性がある。
【０００９】
また、図示しないが、通常は充填された希釈使用薬液が汚染しないように、使用するまでの間、キャップがプレフィルドシリンジのノズル部に装着される。その場合、ノズル部外周に形成された雄ネジのため、ノズル部とアダプタとのシール性が問題となる。
【００１０】
本発明の目的は、希釈して使用すべき薬液が、三方活栓やその他の側注ポート等の混注ポートから、誤って高濃度のまま注入されることを防止するプレフィルドシリンジを提供することにある。さらに、上記プレフィルドシリンジとそれに液密に接合できるキャップとの組合せを提供することを目的としたものである。
【課題を解決するための手段】
【００１１】
請求項１の発明は、薬液を予め充填した薬液収納部と、該薬液収納部に充填された薬液を吐出するための開口部を形成する筒状突出壁部及びその筒状突出壁部外周に形成された雄ネジ部を有するノズル部と、該薬液収納部内の薬液を吐出させる薬液吐出機構とを有するプレフィルドシリンジであって、該筒状突出壁部の外径が４．３ｍｍ〜５．４ｍである構成である。
【００１２】
請求項２の発明は、薬液を予め充填した薬液収納部と、該薬液収納部に充填された薬液を吐出するための開口部を形成する筒状突出壁部及びその筒状突出壁部外周に形成された雄ネジ部を有するノズル部と、該薬液収納部内の薬液を吐出させる薬液吐出機構とを有するプレフィルドシリンジであって、該ノズル部の基部に、上記雄ネジ部を有する筒状突出壁部の外径よりも大きい外径を有する段部を備えている構成である。
【００１３】
請求項３の発明は、請求項１又は２記載のプレフィルドシリンジにおいて、筒状突出壁部の内周側に、筒状突出壁部の内径より小さい開口径を有する絞り部が設けられている構成である。
【００１４】
請求項４の発明は、請求項２記載のプレフィルドシリンジにおいて、該段部と該筒状突出壁部との接続部に、該筒状突出壁部の内径よりの小さい開口径を有する絞り部が設けられている構成である。
【００１５】
請求項５の発明は、請求項３又は４記載のプレフィルドシリンジにおいて、該筒状突出壁部の内径は、その先端から該絞り部方向に向かって徐々に細くなるテーパー形状に形成されている構成である。
【００１６】
請求項６の発明は、請求項１ないし５のいずれか１つに記載のプレフィルドシリンジに接続可能なアダプタを有し、該アダプタは、上記ノズル部の雄ネジ部に螺合する雌ネジ部を内周に有する外筒体と、該外筒体の内方側に上記筒状突出壁部の内壁と接触可能で内部に第１薬液通路が形成された内筒体と、該内筒体の第１薬液通路に連通され、１端部が閉塞している第２薬液通路を有する中空胴体部と、該中空胴体部の第２薬液通路を外周に開口する開口通路が形成された先細形状の針状軸体とを備え、該外筒体、該内筒体及び中空胴体部とが一体に形成されている構成である。
【００１７】
請求項７の発明は、請求項６記載のプレフィルドシリンジとアダプタとの組合せであって、該針状軸体の先端から該連通路までの距離は１５〜３０ｍｍである構成である。
【００１８】
請求項８の発明は、請求項６又は７記載のプレフィルドシリンジとアダプタとの組合せであって、該内筒体の端部は、該外筒体の端部よりも内側に引っ込んで形成されている構成である。
【００１９】
請求項９の発明は、請求項４ないし８のいずれか１つに記載のプレフィルドシリンジにおいて、該プレフィルドシリンジの該ノズル部を密閉するキャップを備え、該キャップは、該段部の外周に接触してシールする接触部を内面に有するキャップ本体と、該プレフィルドシリンジの該筒状突出壁部の内周面に接触してシールする第１シール面及び絞り部の開口部に接触してシールする第２シール面を有する突出部とを備える構成である。
【発明の効果】
【００２０】
請求項１の発明では、薬液を予め充填したプレフィルドシリンジのノズル部の外径が通常の混注ポートの開口部に対して大きいので、誤接続することを防止できる。
【００２１】
請求項２の発明では、ノズル部を覆うキャップと段部でシールすることができ、シール性に優れる。
【００２２】
請求項３の発明では、絞り部の開口大きさを従来のシリンジと同様な大きさとすることによって、薬液収納部の薬液の吐出状態を従来と同様な状態にできるので、看護士等の操作者も違和感無く使用できる。また、注入状態を従来並として速くしたくない薬液に対しても使用できる。また、この絞り部をキャップのシール部として使用することもでき、利用範囲が格段に優れる。
【００２３】
請求項４の発明では、絞り部の開口大きさを従来のシリンジと同様な大きさとすることによって、薬液収納部の薬液の吐出状態を従来と同様な状態にできるので、看護士等の操作者も違和感無く使用できる。また、注入状態を従来並として速くしたくない薬液に対しても使用できる。
【００２４】
また、この絞り部をキャップのシール部として使用することもでき、利用範囲が格段に優れる。
【００２５】
請求項５の発明では、ノズル部に大きな開口部を設けた際にも、キャップとのシール性を向上できる。
【００２６】
請求項６の発明では、アダプタを間違って混注ポートに接続しても、アダプタの開口通路から薬液が外に漏れ出るので、間違って接続したことに素早く気付くことができる。
【００２７】
請求項７の発明では、大体の通常の混注ポートに対して開口通路が外に露出した状態とできるので、間違って接続したことに素早く気付くことができる。
【００２８】
請求項８の発明では、内筒体が不用意に損傷することを防止できる。
【００２９】
請求項９の発明では、外側から被せるだけの簡単なキャップによって確実にシリンジをシールできる。
【発明を実施するための最良の形態】
【００３０】
図１ないし図６は本発明の実施形態に関わるプレフィルドシリンジを示す。図１に示すように、プレフィルドシリンジ１０は、筒形状に形成され、薬液が予め充填した薬液収納部１１を備える。この薬液収納部１１の先端部にノズル部１５が設けられている。このノズル部１５は、薬液収納部１１に充填された薬液を吐出するための開口部を形成する筒状突出壁部１２を有し、筒状突出壁部１２の外周に雄ネジ部１３を有する。プレフィルドシリンジ１０の後端部には、薬液収納部１１内の薬液を吐出させる薬液吐出機構１６が設けられている。
【００３１】
図２により、ノズル部１５の詳細構造を説明する。筒状突出壁部１２の外周には、雄ネジ部１３が形成されている。筒状突出壁部１２の基部には、筒状突出壁部１２より一回り大きい外径を有する段部１７が設けられている。そして、筒状突出壁部１２の基部と段部１７の接続部分には、絞り部１８が一体に形成されている。絞り部１８の開口部１９の開口径ｒ３は、１．８ｍｍであり、従来通常に使用されているシリンジの開口径と同じか類似する径になっている。
【００３２】
本実施形態のノズル部１５の筒状突出壁部の内径ｒ２は約３．５ｍｍであり、従来のシリンジのノズル部の内径よりもかなり大きいが、絞り部１８の開口部１９の開口径を従来のシリンジのノズル部の内径と同じ程度にすることによって、薬液収納部１１の薬液が従来よりも急速に多量に吐出されることを防止している。その上、操作者が従来のシリンジでの吐出状態との違和感を覚えることなく、操作できる。
【００３３】
図３に示すように、未使用状態では、プレフィルドシリンジ１０のノズル部１５には、ゴム製キャップ３０が被せられている。ゴム製キャップ３０は、プレフィルドシリンジ１０の筒状突出壁部１２の外周に形成された雄ネジ部１３と弾性的に係合する内径からなる空洞部３２を備え、この空洞部３２に連接されて空洞部３２より少し大きめの内径からなる接触部３３を備えたキャップ本体３１を有する。
【００３４】
また、キャップ本体３１内部には、キャップ本体３１に一体に突出部３４が形成されている。突出部３４は、絞り部１８方向に向って先細になる略円錐形状であり、根元部分には筒状突出壁部１２の内周面１４に接触してシールする第１シール面３５及び絞り部１８の開口部１９に接触してシールする第２シール面３６を備える。
【００３５】
ゴム製キャップ３０をノズル部１５に嵌め込んだ際に、接触部３３が、段部１７の外周に弾性的に密に接することによって、シールするようになっている。また、突出部３４の第１シール面３５が筒状突出壁部１２の内周面１４に接触してシールするとともに、第２シール面３６が絞り部１８の開口部１９に嵌ることによってシールするようになっている。このように、第１シール面３５及び第２シール面３６によって、薬液の漏出を防止して確実にシールできるようになっている。また、絞り部１８は、開口部１９の開口径を絞ることによって、薬液収納部１１の薬液が漏れ出しにくくなっていることもある。
【００３６】
この実施形態では、ノズル部１５にキャップ３０を被せることで、接触部３３が段部１７と密に嵌まることで、キャップ３０が抜けることなくノズル部１５に保持されるとともに、上記シール部３４，３５で確実にシールされるので、キャップ３０の嵌め込みや取り外し等の作業性にも優れる。
【００３７】
図４により、アダプタ２０を説明する。全体が針形状のプラスチックからなるアダプタ２０の基部が、プレフィルドシリンジ１０のノズル部１５に取付けられるようになっている。具体的には、アダプタ２０は、雄ネジ部１３に螺合する雌ネジ部２３を内周に有する外筒体２１と、外筒体２１の内方側に形成された内筒体２２を備える。内筒体２２は、外側が筒状突出壁部１２の内壁と接触可能なテーパー面となっており、内部中央に第１薬液通路２４が形成されている。中空胴体部２５には、内筒体２２の第１薬液通路２４に連通される第２薬液通路２６が内側中央に形成され、第２薬液通路２６の一端部が閉塞されている。中空胴体部２５は、内筒体２２及び外筒体２１と一体に形成されて、細長針形状の胴体部分を形成している。中空胴体部２５の先端には、先細形状の針状軸体２７が一体に設けられている。針状軸体２７の外周に軸方向に沿った３つの長溝部２８が１２０度間隔で形成されている。この長溝部２８と中空胴体部２５の第２薬液通路２６とは開口通路２９で連通されている。
【００３８】
針状軸体２７の先端から開口通路２９までの距離Ｈは１５〜３０ｍｍの範囲にあり、通常では、混注ポートにアダプタ２０を差し込んでも、開口通路２９が混注ポート（ディスク弁）の外に露出する長さとなっており、希釈のために薬液バッグやボトル等に混注する際には正常に注入できる長さに設定されている。その構成によって、混注ポートにアダプタを間違えて挿入した場合でも、プレフィルドシリンジ内の液は混注ポート内に流入しないようになる。なお、混注ポートの種類・規格によっては、縦長タイプのものがあり、そのような混注ポートでは、開口通路２９が混注ポート内腔に入ってしまい、希釈使用薬液が直接注入される危険性がある。そのため、針状軸体２７の先端側（最先端の突刺す部分を除いて先端から開口通路２９までの箇所）の太さは３．５〜４．５ｍｍであるのが好ましい。縦長の混注ポートのディスク弁は外径が小さく、弁に形成されたスリット径も小さいため、針状軸体の先端側太さが上記の範囲にあれば、アダプタ先端側を縦長の混注ポートに深く挿入することができない。その結果、アダプタ先端部のみは、混注ポートに挿入できても、シリンジ内の薬液は注入できないことになる。針状軸体２７の先端側太さが、３．５ｍｍ以下であると、アダプタが縦長の混注ポートに深く挿入され、誤注入の恐れがある。逆にアダプタの太さが４．５ｍｍ以上になると、希釈する際に、薬液バッグにアダプタを穿刺、結合する必要があるが、その穿刺・結合が困難となる。内筒体２２の端部２２ａは、外筒体２１の端部２１ａよりも内側に引っ込んで形成され、内筒体２２が何かに当たって損傷することを防止できるようになっている。
【００３９】
図５に示すように、アダプタ２０は、不使用時には、保護体４０に収納されている。保護体４０は、アダプタ２０の中空胴体部２５及び針状軸体２７を収容する中空部４２と、外筒体２１を収容するカップ部４１を有する。カップ部４１と中空部４２との接続部分に、中空胴体部２５の基部を保持する保持部４３が形成されている。
【００４０】
使用状態を、図６により説明する。アダプタ２０を保護体４０から取出し、プレフィルドシリンジ１０のノズル部１５からキャップ３０を取外す。そして、ノズル部１５にアダプタ２０を取付ける。その際、筒状突出壁部１２の雄ネジ部１３に外筒体２１の雌ネジ部２３が螺合する。それとともに、内筒体２２の外周面２２ｂが筒状突出壁部１２の内周面１４に強く接触して互いにシールされる。即ち、筒状突出壁部１２の内周面１４は、絞り部方向に向かって徐々に狭くなるテーパーに形成され、内筒体２２の外周面２２ｂは端部２２ａから奥側（中空胴体部）方向に向かって徐々に広くなるテーパーに形成されている。互いのテーパー面同士が密着されることによって、シール性が確保されるようになっている。
【００４１】
混注ポートに接続する状態を図７〜９によって説明する。例えば、薬液バッグ１００の口部に瓶針１０１が刺通され、瓶針１０１には点滴筒１０２が接続され、順に逆流防止弁１０３、混注ポート１０４、ローラークランプ１０５、混注ポート１０６に接続され、患者に穿刺する静脈針１０７に接続される。
【００４２】
このような薬液回路の場合、混注ポート１０４及び混注ポート１０６から別の薬液が供給できるようになっている。
【００４３】
混注ポート１０４が、図８に示すような混注ポートである場合、中央にスロット（図示せず）を有するディスク弁１１１がカバー１１２で本体１１０に取付けられている。このような混注ポート１１０に、図６に示すようにプレフィルドシリンジ１０にアダプタ２０を取付けた状態で、アダプタ２０の針状軸体２７を刺し込んだ際には、アダプタ２０の開口通路２９が混注ポート１１０の外側に露出した状態となるため、誤接続であることに直ぐに誰でも気付くことができ、また誤注入もできないので、事故を未然に防止できる。
【００４４】
また、既述したように、アダプタ２０の開口通路２９が混注ポートの内腔に収容される縦長の混注ポートである場合、プレフィルドシリンジ１０に装着したアダプタを直に混注ポート１１０に接続しようとしても、針状軸体２７の外径が４．０ｍｍで、ディスク弁１１１の切れ込みよりも大きいので、針状軸体２７をディスク弁内に刺し込んで、保持することができない。
【００４５】
このことによって、希釈して注入する必要がある薬液が充填されたプレフィルドシリンジ１０を間違って、混注ポート１１０に接続することを防止できる。
【００４６】
図７の側注ポート１０６に接続する状態を、図９により説明する。側注ポート１０６の接続口１２１にゴム製弾性体からなる弁体１２２が取付けられている。この弁体１２２の中央部分にはスリット（図示せず）が形成されており、通常のシリンジや針体を突き刺して接続できるようになっている。
【００４７】
この側注ポート１０６に、本発明の薬液が充填されたプレフィルドシリンジ１０を接続しようとすると、プレフィルドシリンジ１０の筒状突出壁部１２の外径Ｒ１が弁体１２２の外径（接続口１２１の内径）よりも大きいので、プレフィルドシリンジ１０の筒状突出壁部１２を刺し込むことができない。また、アダプタ２０をプレフィルドシリンジ１０に取付けてから接続口１２１に刺し込む場合には、刺し込むことができるが、開口通路２９が接続口１２１から露出するようになっているので、薬液が漏れ出る結果となり、誤接続であることが明らかに判明する。
【００４８】
筒状突出壁部１２の外径は、側注ポート１０６の弁体１２２の外径（接続口１２１の内径）よりも大きくする必要がある。また、筒状突出壁部１２の外径が大きすぎると筒状突出壁部の内径が大きくなりすぎて側注ポート１０６の外側から被さるようになって接続される可能性も出てくるので、大きすぎてもいけない。従って、筒状突出壁部１２の外径は、４．３ｍｍ〜５．４ｍｍとすることが好ましい。
【００４９】
なお、上記実施形態では、長溝部２８及び開口通路２９を１２０度間隔で３つ設けたが、この数に限られるものではなく、１つでも他の複数個でも良い。また、上記実施形態では長溝部２８を設けて、薬液が滑らかに針先端方向に導かれる構成としたが、この長溝部２８は必ずしも必要でなく、開口通路２９のみでも良い。
【００５０】
混注ポートの構造は、図７〜９に示されるものに限られるものではなく、他の混注ポートにも同様に適用できるものであり、混注ポートのタイプは問わない。
【産業上の利用可能性】
【００５１】
以上説明したように、本発明に係るプレフィルドシリンジ及びこのシリンジとアダプタとを組み合わせたものは、希釈使用薬液を一旦薬液バッグやボトル等に混注して希釈しする際に用いることができる。
【図面の簡単な説明】
【００５２】
【図１】本発明の実施形態に係わるプレフィルドシリンジの断面図を示す。
【図２】図１の要部拡大図である。
【図３】図１のプレフィルドシリンジにキャップを嵌める状態を説明する図である。
【図４】実施形態に係わるアダプタの断面図を示す。
【図５】図４のアダプタを収納した状態を示す。
【図６】実施形態に係わるプレフィルドシリンジにアダプタを取り付けた状態を示す断面図である。
【図７】混注ポートを有する輪液供給回路の例を示す。
【図８】図７の混注ポートに本発明のアダプタを接続した例を説明する図である。
【図９】図７の側注ポートに本発明のプレフィルドシリンジを接続した例を説明する図である。
【符号の説明】
【００５３】
１０      プレフィルドシリンジ
１１      薬液収納部
１２      筒状突出壁部
１３      雄ネジ部
１５      ノズル部
１７      段部
１８      絞り部
２０      アダプター
２１      外筒体
２２      内筒体
２３      雌ネジ部
２４      第１薬液通路
２５      中空胴体部
２６      第２薬液通路
２７      針状軸体
２８      長溝部
２９      開口通路
３０      キャップ
４０      保護体
【図１】
2007167576.tif 000003
【図２】
2007167576.tif 000004
【図３】
2007167576.tif 000005
【図４】
2007167576.tif 000006
【図５】
2007167576.tif 000007
【図６】
2007167576.tif 000008
【図７】
2007167576.tif 000009
【図８】
2007167576.tif 000010
【図９】
2007167576.tif 000011